(57)【要約】【課題】カーテン速度を開閉いずれの方向へも迅速スムーズとなるように制御できるモーター利用の温室カーテン開閉方法を提供する。【解決手段】温室カーテンの回転軸を起動するモーターが、サイクル数に関係がなく回転軸にかかるカーテン巻取時の回転速度を必要に応じて変換可能とする極数変換型・インバーターモーターを利用すること。【特許請求の範囲】
【請求項１】
温室カーテンの開閉装置において用いるモーターをして回転速度を変えられるようにすることを特徴とし、温室に配設されるカーテンの回転軸を起動するモーターが、サイクル数に関係がなく然も回転軸にかかるカーテン巻取時回転速度を変換可能な極数変換型・インバーターモーターを利用し、カーテンの開閉いずれの移動であっても迅速確実に機能する極数変換型・インバーターモーター付き温室カーテン開閉方法。
【発明の詳細な説明】
【技術分野】
【０００１】  本発明は、極数変換型若しくはインバーターモーターを利用して温室カーテンをスムーズに開閉する温室カーテン開閉方法に関する。
【背景技術】
【０００２】  植物の栽培・育成を目的とする温室は、通常ビニールフィルムからなるカーテンにより覆われるが、特に太陽光が直接する温室天井部は、採光加減や風雨の状況に応じて開閉できることが必要とされることからも、その開閉方法や開閉装置に関わる夥しい量の発明考案が提示されて現在に至っている。開閉を行うには起動源であるモーターを、通常はカーテン収束中心となる天井近傍或いは温室側壁に近接して設けることが多く、モーターの回転力に応じて開閉速度が設定されることは当然として従来一般的な装置例として天井は勿論温室妻側、温室側壁のいずれもビニールカーテンで覆われるものでは電動式開閉機能を備える装置には一般的なモーターを用いることで足りている（例えば特許文献１〜４参照）。
【先行技術文献】
【特許文献】
【０００３】
【特許文献１】特開２０１０−０１８９９９号公報
【特許文献２】特開２００９−２９１１０２号公報
【特許文献３】特開２００１−２５１９７２号公報
【特許文献４】登録実用新案第３１４８７９２号公報
【発明の概要】
【発明が解決しようとする課題】
【０００４】  上記文献１は簡易温室の自動ドア開閉装置に関する技術を示したものであり、電源には通常の小型モーターを用いるというものであるからモーターそのものの機能や効果に格別の意味合いはないことが理解される。【０００５】  文献２は温室等のカーテン開閉位置制御装置であり、カーテン停止位置を駆動モーターの電源回路に組み込むとする構造が示されているが、目的はカーテン停止位置を制御することにあるため駆動モーターは装置の一部を構成するに必須の構成とは言え従来品に異なる新規性を備えたものとは言い難い。【０００６】  文献３は農業用ハウスのステップ式自動温度制御装置に関する技術であり、外的条件によりモーター等を用いて段階的に制御するものであるが、モーターの機能から具体的な制御手法が導かれるということを謳ったものではないためモーターの存在すら影の薄いものとなっていることが分かる。【０００７】  文献４には温室カーテンとブロワーの組み合わせ構造に関する技術が開示されている。すなわちブロワーを作動させるところのモーターは当然ながら従来周知のものを用いることを前提としたものでモーターとカーテンを特別に関連させる構造上の仕組みは何ら触れられておらず、したがってカーテン開閉とモーターはいわば当然のこととしているためカーテン開閉に及ぼすモーターの影響といったものは全く見当たらない。【０００８】  上記みたように従来のカーテン開閉装置における駆動源となるモーターに関しては、温室カーテンの大小・機能・設置位置などに応じてそれに見合う一般的広範に用いられている通常形式のものであればよく、またそれが業界の慣習事項であるため開閉時のカーテンの移動速度が問題になることも殆ど考慮外のこととされているのが実状といえる。【０００９】  本発明は従来のカーテン開閉装置におけるモーターとは異なり、モーターの回転速度に関し温室のカーテン開閉におけるカーテン速度を必要に応じていずれの方向へも迅速スムーズとなるようにモーター利用を発想転換した機能を備えた新規開閉方法を提供することを目的としている。
【課題を解決するための手段】
【００１０】  上記目的を達成するために本発明は、温室カーテンの開閉装置において用いるモーターをして回転速度を変えられるようにすることを特徴とし、温室内天井近傍側面等に配置張設されカーテンの回転軸を起動するモーターが、回転速度を変換可能とするべくカーテンの開閉いずれの移動であっても開閉のスピードを必要に応じ変換可能にする極数変換型モーターを利用してなる温室カーテン開閉方法を主旨とする。
【発明の効果】
【００１１】  従来のカーテン開閉方法とは異なりインバーターモーター等極数変換できるモーターを利用したことによりカーテン開閉に時間的ロスを生ずることがない。このため例えば緊急時にカーテンを開閉いずれにもその速度制御が可能となる。【００１２】  しかして極数の異なる地域例えば関東では５０サイクル、関西では６０サイクルという差があるため従来モーターでは対応できないところ、いずれの地域でも容易に実施できるメリットがある。
【発明を実施するための形態】
【００１３】  発明を実施するための最良の形態、つまり本発明は一般的な温室カーテンにおける開閉方法をいかに効率よく達成するかの視点にたって従来のモーターを利用する体裁をとることなくカーテン開閉、なかんずくカーテンの動きを可及的迅速に成し遂げることを意図する工夫の改善を主眼としている。
【００１４】  したがって本発明ではカーテン構造は勿論カーテンの動きに関わる各種構成物は当然として温室の大小・栽培育成される植物の種類・温度調整・主要付帯構造等に関係なく、モーターを起動源とする回転軸を直接間接に動作させることができるように従来とは異なるインバーター設定したモーター等の利用によって一挙に問題解決を図ることができるようにしたものである。
【００１５】  すなわち本発明は温室カーテンがモーターにより駆動する回転軸の正逆方向への回転動作によるものにおける基本構造を前提とし、モーターをして回転速度を変えられるように温室内天井近傍は当然として温室側壁妻側等に配置張設されているカーテン、平坦状のカーテン等の回転軸を起動するモーターが、サイクル数に関係がなく然も回転軸にかかる巻取時の回転速度を変換可能とする極数変換型・インバーターモーターを利用し、カーテンの開閉いずれの移動であっても動作に無駄のない温室カーテン開閉方法を提供することを特徴としている。
【００１６】  元々モーターの回転速度を変換駆動する装置としての機能を備えたインバーター・極数変換型ものであって、その利用法はモーターだけでなく家電、コンピューター電源などにも幅広い用途があることは知られているが、温室の駆動源としての妥当性は考慮外のこととされていた。蓋し従来のモーター利用によっても何ら不都合を生ずることなくカーテン開閉が行われている現状では、敢えてモーターによるカーテン動作の改善に至る知見が見られないことはむしろ当然ともいえるが、長年温室カーテンに係る装置の製造研究に携わってきた本出願人の立場は、余人とは異なる視点からインバーターモーター等利用によるカーテン開閉動作を効率的にすることに着眼しその効果を確固としたものである。
【００１７】  通常のモーターでは殆ど４Ｐであり高速のものでは２Ｐとなっているためいずれかのサイクル設定がなされていることによっての動作は抵抗が少なく操作される反面、モーターがいわゆる重くなることは避けられない。これによってカーテンの動きも鈍くなるため開閉動作に齟齬が生じることになり、所期するとおりのカーテン開閉に時間的ロスを生じるとともにモーターに及ぼす影響も看過できず、長期使用をすると経年疲労を起こしてモーター寿命を短くするといった負の側面も否定できないところ、本発明による極数変換型設定したモーター・インバーターモーター利用によりそれらの懸念を一掃することに成功したことは紛れもない事実であって、温室カーテンの開閉方法としての本発明は簡単ながら頗る有用性のある技術ということができる。